(57)【要約】平面、単心曲線面または複心曲線面と接触させるために配置可能なまたは貼り直し可能な接着剤を備えた単一可撓性裏材にカスタマイズされた印刷測定目盛りを与えることのできる、接着剤の付いた巻尺が開示されている。好ましい実施形態において、巻尺には複数の目盛りが印刷されている。間隔をあけて画定された直線部分と横軸の組み合わせによって、ディスペンサから巻き戻される巻尺の無駄を最小限にしながら、単一の巻尺に様々な繰り返し目盛りを与えることができる。
2004518122.tif 000002
【特許請求の範囲】
【請求項１】
（ａ）一主面に印刷または接触された測定層を有する２つの主面を備えた可撓性裏材と、
（ｂ）前記可撓性裏材の他主面または前記測定層に接合された貼り直し可能な接着層と、
を含む接着剤付き巻尺。
【請求項２】
前記接着層がまた配置可能でもある請求項１に記載の巻尺。
【請求項３】
前記接着層が前記可撓性裏材の他主面に接合している請求項１に記載の巻尺。
【請求項４】
前記接着層が前記測定層に接合している請求項１に記載の巻尺。
【請求項５】
前記測定層に低接着バックサイズ特性をさらに含む請求項３に記載の巻尺。
【請求項６】
前記裏材の他主面に低接着バックサイズ特性をさらに含む請求項４に記載の巻尺。
【請求項７】
前記測定層が既定の間隔で交互の背景色を有している請求項１に記載の巻尺。
【請求項８】
前記巻尺が、前記測定層に従って既定の間隔で穿孔を有している請求項１に記載の巻尺。
【請求項９】
前記測定層が複数の直線軸と、複数の横軸とを有し、各直線軸が、前記横軸の数の関数である前記巻尺の直線セグメントを表す請求項１に記載の巻尺。
【請求項１０】
前記裏材が、透明材料、半透明材料および不透明材料からなる群より選択され、
前記裏材が単色材料、多色材料、白色材料および黒色材料からなる群より選択され、
前記裏材が光沢材料、艶消し材料、金属材料、反射材料、再帰反射材料および発光材料からなる群より選択され、
場合により、ペンおよび鉛筆のマーキングを受容する表面を有している請求項１に記載の巻尺。
【請求項１１】
前記接着層はアクリル感圧接着剤材料から構成されている請求項１に記載の巻尺。
【請求項１２】
前記測定層に印刷されたシンボルをさらに含み、前記シンボルがスタッド位置マーキング、販促シンボル、焼印の徴およびこれらの組み合わせからなる群より選択される請求項１に記載の巻尺。
【請求項１３】
（ａ）ロールから巻尺を巻き出す工程と、
（ｂ）前記巻尺を基材に適用する工程と、
（ｃ）前記巻尺を前記基材から除去する工程と、を含む請求項１に記載の接着剤付き巻尺を用いる方法。
【請求項１４】
２つの主面を有し、
一主面が印刷または接触された測定層を有し、前記測定層が複数の直線軸と複数の横軸とを有し、各直線軸が前記横軸の関数である巻尺の直線セグメントを表す裏材と、
（ｂ）前記裏材の他主面または前記測定層に接合された貼り直し可能な接着層とを含む接着剤付き巻尺。
【請求項１５】
前記直線軸の数が約２〜約２０個の測定目盛りである請求項１４に記載の巻尺。
【請求項１６】
各直線セグメントが等間隔である請求項１４に記載の巻尺。
【請求項１７】
各直線軸の各直線セグメントの前記測定層の背景色が、前記直線軸の他の直線セグメントとは異なる色を有する請求項１４に記載の巻尺。
【請求項１８】
各直線軸の前記測定層の背景色が、他の直線軸とは異なる色を有する請求項１７に記載の巻尺。
【請求項１９】
前記測定層に印刷されたシンボルをさらに含み、前記シンボルがスタッド位置マーキング、販促シンボル、焼印の徴およびこれらの組み合わせからなる群より選択される請求項１４に記載の巻尺。
【請求項２０】
前記測定層が異なる測定系の複数の目盛りを有する請求項１４に記載の巻尺。
【請求項２１】
前記裏材が可撓性で、前記接着層が前記可撓性裏材の他主面に接合している請求項１４に記載の巻尺。
【発明の詳細な説明】
【０００１】
発明の分野
本発明は、一実施形態において複数の目盛りを有する接着剤付き巻尺に関する。
【０００２】
発明の背景
様々な産業や工業において、平面、単心曲線面または複心曲線面を正確に測定することが求められている。建築業界においては、巻尺の再使用および可調整のため、伸縮自在な金属巻尺が一般的である。これらの巻尺は、有用なものとするために、測定中基材と直接接触させる必要はない。
【０００３】
業界では、有用なものとするために、基材と周期的または断続的に接触することを必要とする様々な巻尺が開発されている。「巻尺」、すなわち、メカニカル、伸縮自在、金属等と区別するために、これらの「巻尺」は、一般的に、測定中、周期的または断続的に基材と接触させるために、測定目盛りの逆の主面に接着剤の付いたポリマー、紙またはその他可撓性基材である。巻尺の代表例は、米国特許第４，１４９，３２０号（トロイヤー等（Ｔｒｏｙｅｒ  ｅｔ  ａｌ．））、米国特許第５，０１２，５９０号（ワグナー等（Ｗａｇｎｅｒ  ｅｔ  ａｌ．））および米国特許第４，８４５，８５８号（トーマス（Ｔｈｏｍａｓ））に開示されている。
【０００４】
上述の特許に開示された巻尺はそれぞれある共通の特徴を有する。これらの巻尺は全て、基材と周期的または断続的に接触する接着剤の付いた表面を有する。全て、ビル建設業界、特に、臨界位置において、例えば、１６インチ分離、２４インチ分離および／または４８インチ分離で木材スタッドを有する木材構造の枠組みに係る業界向けのものである。
【０００５】
上述の特許の巻尺は、発明者らがビル建設業界に有用と考えた特徴とは異なるものである。例えば、トロイヤー等（Ｔｒｏｙｅｒ  ｅｔ  ａｌ．）は、英国式目盛り、メートル法のいずれかまたはその両方で、単一目盛りの巻尺に重ねられた特定の距離の識別用コードに着目している。これとは対照的に、トーマス（Ｔｈｏｍａｓ）のスタッド位置決め巻尺は、異なる中心スタッド距離に基づき、異なるスタッド距離に関連するコードを着色している。このスタッド位置決めテープには、ビル構造コンポーネント間の特定の距離に基づいたビル建築業界以外に有用な数字目盛りは含まれていない。
【０００６】
ワーグナー等（Ｗａｇｎｅｒ  ｅｔ  ａｌ．）の使い捨てレイアウトテープは、位置決め建築材料に用いる多数のコード化された徴を開示しており、このテープは完成時にビル内の適所に残るようになっている。ここでもコードは特定の距離を示すために用いられており、数字目盛りは必要とはされていなかった。
【０００７】
上述した特許の巻尺はそれぞれ、建設業界で用いるにはその有用性が限られるという欠点を有する。さらに、これら特許に開示された３つの巻尺のどれに関しても、寸法の小さな構造に用いなければならない巻尺がどのようであるかについて触れていない。というのは、３つとも、それぞれの使用に際して、長尺のインチまたはセンチメートルの巻尺が不可欠のビル材料に配置されるためである。さらに、接着品質や使用後の表面からの巻尺の除去特性に関しても触れられていない。
【０００８】
発明の概要
業界では、仕上げ面に損傷を与えずに除去できる接着剤付き巻尺が必要とされている。業界ではまた、実際の測定を行う前に、測定位置を調整できるよう配置可能なまたは貼り直し可能な接着剤付き巻尺も必要とされている。
【０００９】
本明細書において、「配置可能な」とは、接着剤または感圧接着面を基材表面に配置して、基材に予備接合することなく表面の適所に容易に滑らせることができることを意味する。接着物品を基材に接合するには一般に圧力が必要である。
【００１０】
本明細書において、「貼り直し可能な」とは、接着剤または感圧接着面を基材に適用および接合して、裏材、接着剤または基材を変形、汚染または破壊することなく除去（通常、２４時間以内）および再適用することができることを意味する。貼り直し可能な接着剤は配置可能である必要はなく、また配置可能な接着剤は貼り直し可能である必要もない。
【００１１】
業界ではまた、廃棄物を最小限にし、測定について適用可能な起点を最大限にする接着剤付き巻尺も必要とされている。
【００１２】
さらに、業界では、同じ長さの巻尺で、複数の測定に使用できる数字と色の両方を与える接着剤付き巻尺も必要とされている。
【００１３】
本発明の一態様は、（ａ）一主面に印刷または接触された測定層を有する２つの主面を備えた可撓性裏材と、（ｂ）可撓性裏材の他主面または測定層に接合された配置可能なまたは貼り直し可能な接着層とを含む接着剤付き巻尺である。
【００１４】
本発明の他の態様は、（ａ）ロールから巻尺を巻き出す工程と、（ｂ）巻尺を基材に適用する工程と、（ｃ）巻尺を基材から除去する工程とを含む上述の接着剤付き巻尺を用いる方法である。
【００１５】
本発明の第三の態様は、（ａ）２つの主面を有し、一主面が印刷または接触している測定層を有し、測定層が複数の直線軸と複数の横軸とを有し、各直線軸が横軸の関数である巻尺の直線セグメントを表す裏材と、（ｂ）裏材の他主面または測定層に接合された接着層とを含む接着剤付き巻尺である。
【００１６】
本発明の特徴は、商業的に有用な配置可能なまたは貼り直し可能な接着剤を可撓性基材上で用いて、下にある基材に損傷を与えることなく複数回の測定または繰り返しの測定について調整可能であることである。
【００１７】
好ましい実施形態における本発明の他の特徴は、異なる情報を提供するために、同じ巻尺に沿った直線軸を用いることである。
【００１８】
好ましい実施形態における本発明の他の特徴は、特定の産業または工業に共通の主要な測定に基づいて、同産業または工業で用いるためにカスタマイズ可能な多数の数字目盛りおよび着色徴を用いることである。
【００１９】
本発明の一利点は、配置可能なまたは貼り直し可能な接着剤を可撓性基材上で用いて、人間が着るために測定されるシルク衣料のような感受性のある仕上げ基材に対する損傷を最小限にすることである。
【００２０】
好ましい実施形態における本発明の他の利点は、巻尺を用いる起点が、巻尺に沿って用いられるどの直線軸にも存在し得るため、使い捨て巻尺の無駄が最小限になるという多目盛り巻尺である。
【００２１】
本発明の他の利点は、巻尺の製造中に通常の印刷技術を用いて、ある産業や工業における営業の宣伝および販促のために特定の営業についてカスタマイズされた巻尺を提供することができるということである。
【００２２】
本発明の更なる詳細は、特許請求の範囲の特徴に定義されている。
【００２３】
発明の実施形態
本発明において、以下の試験に合格したら接着剤は貼り直し可能である。
巻尺試料を白色ボンド２０ポンド（９ｋｇ）静電写真等級の紙に適用する。試験のために、紙を両面接着剤により金属表面に適用した。巻尺試料を、５ｌｂ（２．３ｋｇ）、直径３．２５インチ（２７ｃｍ）のゴムコートローラを用いて紙に適用し、巻尺上を一度転がす。巻尺を１分辺り９０インチ（２．３ｍ）の速度で９０度の引張りで剥す。紙基材または巻尺基材への損傷に基づいて試験に合格／不合格となる。損傷は、巻尺を基材に再適用できない、すなわち、巻尺に残った紙繊維によって再適用できないということである。二回目に適用できる場合には、再適用した巻尺を二回目に剥すのは初回に剥す力の５０％以下である。巻尺裏材が破れたり裂けたりした場合も、試験に不合格とみなされる。
【００２４】
一人で、あらゆる表面条件において容易にハンズフリーで測定可能であるため、本発明の巻尺は特に有利である。巻尺は曲面をはじめとするあらゆる形状の表面に適合するため、非常に簡単に正確な測定ができる。
【００２５】
容易に使用できることから、本発明の巻尺は、写真を吊るす、家の改築計画、工業計画、趣味計画（例えば、模型製作）および学校／科学計画のような様々なプロジェクトにおいて家庭の消費者に有用である。さらに、本発明の巻尺は、額縁製作者、サイン製作者、木工製作者、グラフィックデザイナー等にとっての位置決めツールとしてのプロ使用に望ましい。さらに、本発明の巻尺は、製図、設計および地図のための測定ツールとしても使用される。他に、テーブルトップ、ワークベンチ、ノートブックおよび機器目盛りのような選択的な長期使用に適用される測定装置としても使用される。
【００２６】
本発明のマスキングテープはさらに、布帛、衣類、ハードウェア、家具および家電店舗のような店舗での安価なサービス品ともなる。さらに、本発明のマスキングテープは、自作キット、例えば、クローゼットの保管キットに含まれてもよい。
【００２７】
本発明の巻尺は貼り直し可能であるため、仕上げ面にマークは残さず、感受性のある表面に損傷を与えない。さらに、本発明の貼り直し可能な巻尺は再使用可能であるため、最初に位置を間違えた場合でも変えることができ、本発明の製品の使い易さが向上する。再使用性はまた、本発明の経済性も向上させる。
【００２８】
巻尺構造
図１および図２は、巻尺の機能層の位置の異なる本発明の巻尺のそれぞれの実施形態である。図１の巻尺１０は、２つの対向する主面を有するポリマー巻尺裏材１２を有しており、一主面には裏材１２に印刷または接触している測定目盛り層１４があり、他主面には感圧接着剤の層１６がある。測定層１４の組成および特性に応じて、接着層１６は、使用前、特に巻尺を自身に巻く時に接着剤を保護するために、任意の剥離ライナー（図示せず）を必要とする。巻尺１０を巻いた状態に、より好ましくは測定される基材に沿って簡単に巻尺を巻き戻すのに好適なディスペンサに保管する場合、接着層１６が剥離できるような十分な特性を印刷層１４が有しているのが好ましい。
【００２９】
図２は、巻尺２０が２つの対向する主面を有する裏材２２から構成され、対向する主面の一方に、測定目盛り層２４と、その層２４の上部に、感圧接着剤の層２６との両方を有する、本発明の他の実施形態である。巻尺２０は、測定が望ましい位置から反対側に測定装置があるのが望ましい場合に、半透明または透明材料を測定するのに特に好適である。例えば、バックライト標識の製造において、透明または半透明表面上の半透明フィルムの着色片アセンブリがあると、着色フィルム片を配置したのと同じ位置に巻尺を接合させることができない。巻尺２０（「第２の表面」巻尺と呼ぶ）を用いると、バックライト標識相のアセンブリを妨害することなく測定を行うことができる。
【００３０】
図１および２のいずれの実施形態についても、特定の長さのテープを除去するのを補助するために、一連の穿孔、例えば、通常の英国式尺度ヤードスティックをシミュレートするやり方で３６インチ（０．９ｍ）の間隔で穿孔を設けることができる。
【００３１】
巻尺裏材
図１または図２に示す裏材１２または２２は、比較的高い引張り係数（ヤング係数または曲げ係数）および温度または湿度の条件に比較的鈍感で、比較的寸法安定性のある構造を有する材料とすることができる。巻尺裏材は、以下のあらゆる組み合わせの材料が例示されるがこれらに限られるものではない。
透明、半透明または不透明、
単色、多色または白色または黒色、
外観が光沢、艶消し、金属、反射性、再帰反射性または発光する、
印刷、エンボス加工または層１４または２４に測定目盛りを付けるその他の手段を行い易い。
【００３２】
さらに、表面（最初の情報の印刷後）は、巻尺１０または２０の使用者に望ましいようにペンおよび鉛筆のマーキングを受容することができる。
【００３３】
裏材１２または２２の引張り係数は、一般的に約１．０×１０３ｌｂｓ．／ｉｎ２（７．０×１０５ｋｇ／ｍ２）〜約５．０×１０７ｌｂｓ．／ｉｎ２（３．５×１０１０ｋｇ／ｍ２）および好ましくは６．０×１０４ｌｂｓ．／ｉｎ２（４．２×１０７ｋｇ／ｍ２）〜約１．０×１０６ｌｂｓ．／ｉｎ２（７．０×１０８ｋｇ／ｍ２）である。
【００３４】
裏材１２または２２は、厚さ約０．０５ミリメートル（２ミル）〜約０．１０ミリメートル（４ミル）のポリエステルであるのが好ましい。
【００３５】
裏材は約−４５℃〜約６５℃、好ましくは約−１７℃〜約５２℃の温度に耐えるものでなければならない。
【００３６】
巻尺は、約０％Ｒ．Ｈ．〜約１００％Ｒ．Ｈ．の湿度に対して比較的感受性がないものでなければならない。
【００３７】
裏材１２〜２２（シート寸法での％変化で記載）の寸法安定性は約０％〜約０．１５％、好ましくは約０％〜約０．１％でなければならない。
【００３８】
裏材１２および２２を構築できる材料としては、ポリエステル（ＰＥＴ）、高密度ポリエチレン（ＨＤＰＥ）、ポリフッ化ビニリデン、ポリ塩化ビニル、ナイロンおよび堅牢な紙製品により例証されている上述した物理特性を有するポリマーが挙げられるがこれらに限られるものではない。かかる裏材は、一体的に寸法安定性（引張り配向有りまたは無し）があるものでもよいし、寸法安定性を得るためにナイロンフィラメントのような強化材を含めることもできる。
【００３９】
測定層
図１または２の測定層１４または２４は、かかる層１４および２４に印刷またはその他測定目盛りを与えることのできる機能手段である。裏材１２または２２の組成が、層１４および２４に測定目盛りを作成する特定の方法に不適である場合には、かかる層１４および２４は、かかる層１４および２４に測定目盛りを正確に印刷できるようにするために、コーティングを与える、またはその他表面処理を行う必要がある。例えば、裏材が紙でできている場合には、表面処理は必要ない。
【００４０】
層１４および２４の表面処理としては、コロナ処理、コーティング（米国特許第５，７４７，１４８号（Ｗａｒｎｅｒ）に開示されているようなもの）等が挙げられるがこれらに限られるものではない。
【００４１】
層１４および２４に複数の目盛りを作成する方法としては、静電印刷、インクジェット印刷、熱転写、オフセット、フレキソ印刷等が挙げられるがこれらに限られるものではない。これらの方法の中でも、現在のところ、フレキソ印刷が好ましい。
【００４２】
層１４および２４を作成するのに特に好ましいのは、業界の要件または要望に従って、印刷の当業者であれば２５６色という異なる色を作成することのできる、シアン、マゼンタ、イエローおよびブラック（「ＣＭＹＫ」色）の減法色を用いる４色印刷システムである。
【００４３】
層１４および２４を作成するのに用いられる着色剤は、インクジェットインク、電気グラフィック印刷染料系インクに用いられる静電トナー、オフセットウェブ印刷インク等に含まれるような顔料粒子が挙げられる。
【００４４】
測定用途に異なる触感を与えるために裏材表面に物理的にマークを付けるのに表面エンボス加工技術もまた用いることができる。
【００４５】
当業者に考慮される一つの因子は、特定の巻尺１０または２０の印刷ジョブのサイズ、およびミネソタマイニング・アンド・マニュファクチュアリング社（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）の商業グラフィック部門より市販されているグラフィックメーカ（ＧｒａｐｈｉｃＭａｋｅｒ）（登録商標）のような印刷ソフトウェアを用いることによって、かかる巻尺をカスタマイズできる能力である。大きなフォーマットのプリンタは、好適な切断またはスリット加工をかかるシートに施して、巻いたまたは巻き戻した多数の細い巻尺へと、異なる種類の多数の測定目盛りを巻尺１０または２０に印刷することができる。
【００４６】
接着剤
感圧接着層１６または２６は、当業者に知られ、感圧接着剤ハンドブック、第２版、Ｓａｔａｓ編（Ｖａｎ  Ｎｏｓｔｒａｎｄ、１９８９年）に開示されているような感圧接着剤であればいずれであってもよい。開示されている様々な感圧接着剤テープの中でも、ミネソタ州セントポールのミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）より市販されているアクリル感圧接着剤が好ましく、米国特許３，９２２，４６４号、同第３，６９１，１４０号、同第５，１４１，７９０号、同第５，１９４，２９９号、同第４，６０５，５９２号、同第５，０４５，３８６号、同第５，２９６，２７７号および同第５，２２９，２０７号およびＥＰＯ特許公開ＥＰ  ０  ５７０  ５１５  Ｂ１号（スティールマン等（Ｓｔｅｅｌｍａｎ  ｅｔ  ａｌ．））に記載されている。その他の好適な接着剤は、ＰＣＴ特許公開ＷＯ９８／２９５１６号およびその関連同時係属、同時譲渡、米国特許出願第０８／７７５，８４４号（シェール等（Ｓｈｅｒ  ｅｔ  ａｌ．））に開示されている。
【００４７】
これらの文献に記載されている通り、接着剤層の物理上および組成上の構成のために、本発明の巻尺のポジショナビリティおよびリポジショナビリティの両方が望ましい。
【００４８】
例えば、高剪断強度を有するポジショナル接着剤はＥＰＯ特許公開ＥＰ  ０  ５７０  ５１５号に開示されている。さらに、水性接着組成物は、層として基材に適用すると、高剪断強度および剥離接着力を維持したまま、ポジショナビリティを示すことができる。この組成は、（ａ）中空、ポリマー、不溶性、元々粘着性のエラストマーマイクロスフェアであって、少なくとも８５重量部の少なくとも１種類のアルキルアクリレートまたはメタクリレートエステルと１５重量部までの少なくとも１種類の極性モノマーとを含み、マイクロスフェアの大部分がマイクロスフェアの直径の少なくとも１０％よりも小さい中央キャビティを有するマイクロスフェアの水性懸濁液と、（ｂ）４〜１２個の炭素原子を有する少なくとも１種類の長鎖アルキルアクリレートを含む水性フィルム形成感圧接着剤ラテックスの水性ブレンドを含み、このマイクロスフェア対ラテックスの重量比は固体基準で１２〜１対３９〜１である。測定している基材への損傷を最小限にしながら、この接着剤が背面に付いた巻尺をポジショニングおよびリポジショニングすることができるため、この接着剤を用いるのが好ましい。
【００４９】
その他の望ましい接着剤は米国特許第５，１４１，７９０号（カルホーン等（Ｃａｌｈｏｕｎ  ｅｔ  ａｌ．））に開示されている。この感圧接着剤テープまたはシートは、感圧接着剤の少なくとも一表面に均一に分配された間隔を開けた複数の粒子の塊により正確によく貼り直し可能であり、粒子の塊の先端には実質的に接着剤がなく、粒子は感圧接着層の厚さよりも小さい。好ましい粒子は、感圧接着剤層の厚さが約２５ｍｍのときは、直径５〜１５ｍｍのガラスビーズである。各塊には５〜約１００個の粒子が含まれているのが好ましい。感圧接着層は、粒子の塊を保護する凹部を備えて形成された低接着表面を有するキャリアウェブでカバーすることができる。
【００５０】
さらにその他の有用な接着剤は、米国特許第５，２９６，２７７号（ウィルソン等（Ｗｉｌｓｏｎ  ｅｔ  ａｌ．））に開示されており、接着層は、接着層に実質的に均一に分配され、接着剤から外側に突出した複数のペグと、任意で１個以上のビーズとを含む少なくとも１つのトポロジカルマイクロ構造表面を有しており、ペグは、接着層の総表面接触面積の２５％未満の実質的に平らな上部と、少なくとも１５ｍｍの高さを有する。この接着組成物は配置可能と貼り直し可能との両方である。
【００５１】
転写テープの特に好適な接着剤は、ミネソタ州セントポールのミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）（３Ｍ）より３Ｍ（登録商標）両面貼り直し可能なフィルムテープ（Ｄｏｕｂｌｅ−Ｃｏａｔｅｄ  Ｒｅｐｏｓｉｔｉｏｎａｂｌｅ  Ｆｉｌｍ  Ｔａｐｅ）９４１５ＰＣという商標で市販されている。この転写テープによって、印刷された、または印刷されていない可撓性裏材に貼り直し可能な接着剤を転写することができる。
【００５２】
剥離ライナーが望ましい場合には、剥離ライナーもまた周知であり、数多くの関係者から市販されている。剥離ライナーの例としては、シリコーンコートクラフト紙、シリコーンコートポリエチレンコート紙、ポリエチレンやポリプロピレンのようなシリコーンコートまたは非コートポリマー材料、米国特許第３，９５７，７２４号、同第４，５６７，０７３号、同第４，３１３，９８８号、同第３，９９７，７０２号、同第４，６１４，６６７号、同第５，２０２，１９０号および同第５，２９０，６１５号に定義されるようなシリコーン尿素、ウレタンおよび長鎖アルキルアクリレートのようなポリマー剥離剤でコートされた上述のベース材料、および米国、イリノイ州、オークブルックのレクサムリリース（Ｒｅｘａｍ  Ｒｅｌｅａｓｅ）よりポリシルク（Ｐｏｌｙｓｉｌｋ）商標ライナーおよび米国ペンシルバニア州スプリンググルーブのＰ．Ｈ．グラットフェルター社（Ｐ．Ｈ．  Ｇｌａｔｆｅｌｔｅｒ  Ｃｏｍｐａｎｙ）製ＥＸＨＥＲＥ商標ライナーとして市販されているライナーが挙げられるが、これに限られるものではない。
【００５３】
接着剤２６を接着剤１６と区別する一つの特徴は、第２の表面配置で、測定層２４が巻尺２０の構成に見られるようなものとするために、接着剤２６は透明でなければならないことである。透明裏材を備えた透明接着剤としては、ミネソタ州セントポールのミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）よりスコッチカル（Ｓｃｏｔｃｈｃａｌ）（登録商標）Ｖ６０８９フィルムという商標で市販されているものが例示されるがこれらに限られるものではない。
【００５４】
上述した特許の接着剤の中で特に好ましいのは、攻撃的で、除去可能、配置可能または貼り直し可能またはその両方、および粘着性の低い接着剤であり、全て、特定の産業および接着剤配置時の基材の感受性および測定している基材からの巻尺１０および２０の接着剤除去性に依存している。例えば、布帛産業においては、布帛はかなり高価で、接着剤の配置に対して感受性があるものと考えられる。このことは粘着力の低い接着剤に影響を及ぼす。これとは対照的に、コンクリートブロックのような粗い建材は、測定中確実に接着させる必要があるため、除去の面倒さに係りなく強引な接着剤を必要とする。本発明の利点は、様々な裏材に測定目盛りを印刷する様々な方法により用いられる様々な接着剤を選択して、当業者であれば、特定の産業で用いるために、特定の種類の巻尺１０を作り上げることができるということである。
【００５５】
巻尺１０および２０は剥離ライナーに沿って好適な長さに配置されるか、または小型ディスペンサから分配するために巻かれることができる。上述のように、巻尺１０に関して、測定層１４の表面には、層１４から反対側の層１６に所望通り巻尺１０を巻き付けるのに好適な表面とするために、低接着バックサイズ特性を適合させる必要がある。巻尺２０については、裏材２２の対向する主面２８は、巻尺２０を巻いた状態で保管するときに、接着層２６から巻き戻すためにかかる低接着バックサイズ特性を有していなければならない。好適な低接着バックサイズ組成物は、米国特許第４，８２５，７６３号（トラスコラスキー等（Ｔｒｕｓｋｏｌａｓｋｉ  ｅｔ  ａｌ．））、同第４，８７３，１４０号（マッキンタイヤ（ＭｃＩｎｔｙｒｅ））および同第４，５８７，１５６号（ウー（Ｗｕ））に開示してあるものをはじめとして当業者に周知である。
【００５６】
巻尺１０または巻尺２０の印刷は、適宜、例えば、長さ１２インチのある間隔で、好ましくは例えば、長さ３６インチの第２の間隔で穿孔を備えた交互の背景色を有するような構成にすることができる。様々な種類の印刷に好適な裏材１２の表面については、当業者であれば、市場の要望に応じて目盛りと背景の様々な組み合わせをカスタマイズすることができる。
【００５７】
図３に、巻尺１０または２０の層１４または層２４に多数の目盛りを有する、本発明のある好ましい実施形態を開示する。上述したように、図３は、多数の直線軸Ａ−Ａ、Ｂ−ＢおよびＣ−Ｃと、多数の横軸Ｘ−Ｘ、Ｙ−ＹおよびＺ−Ｚを有する巻尺３０を示す。巻尺３０は、３つの直線軸と３つの横軸を示す本発明の一実施形態の一例に過ぎず、複数が３つに限られるものではない。すなわち、本発明の巻尺３０は約２〜約２０、好ましくは３〜５の複数の目盛りを有することができる。
【００５８】
直線軸の数は横軸の数に等しい。というのは、各直線軸が、巻尺３０の直線セグメントを表すからであり、これは巻尺３０の横軸の数の関数である。図３に示すように、軸Ａ−Ａ、Ｂ−ＢおよびＣ−Ｃにより表される直線セグメントは等間隔である。ただし、当業者であれば、特定の要望または特定の産業によってセグメントの幅を変えることができる。軸Ｘ−Ｘとその繰り返しであるＸ’−Ｘ’の間の距離はＩで表され、この距離は特定の産業の要望に従って決まる。最初の間隔Ｉを画定したら、当業者であれば、横軸Ｘ−Ｘと横軸Ｙ−Ｙの間の距離を表す適正な間隔ＩＩを画定することができる。さらに、横軸Ｙ−Ｙと横軸Ｚ−Ｚの間の間隔は図３においてＩＩＩで表されている。最後に、間隔ＩＶは横軸Ｚ−Ｚと横軸Ｘ’−Ｘ’の間の間隔を表している。
【００５９】
間隔Ｉはまた、横軸Ｙ−Ｙから横軸Ｙ’−Ｙ’（図示せず）まで、および軸Ｚ−Ｚから軸Ｚ’−Ｚ’（図示せず）までの距離も表している。このように、間隔Ｉ、ＩＩ、ＩＩＩおよびＩＶの構成は、間隔Ｉが画定したら、間隔ＩＩ、ＩＩＩおよびＩＶは間隔Ｉの整数部分であり、その合計は間隔Ｉの長さに等しい。間隔ＩＩ、ＩＩＩおよびＩＶは同じ整数部分の数であるのが好ましい。ただし、当業者の要望に従って異なっていてもよい。例えば、間隔Ｉは１２インチ（３０．５ｃｍ）とし、間隔ＩＩ、ＩＩＩおよびＩＶはそれぞれ４インチ（１０．２ｃｍ）とすることができる。
【００６０】
あるいは、間隔Ｉの距離は、横軸Ｙ−ＹおよびＹ’−Ｙ’の距離および／または軸Ｚ−Ｚおよび軸Ｚ’−Ｚ’の距離とは関係のない横軸Ｘ−ＸおよびＸ’−Ｘ’の間の距離に対して唯一のものとして、当業者であれば、巻尺３０を、直線セグメントＡ−Ａ、Ｂ−ＢおよびＣ−Ｃの関係に係りなく、直線セグメントＡ−Ａ、Ｂ−ＢおよびＣ−Ｃにより表される交互の異なる目盛りで用いることができる。横軸はそれぞれ繰り返し目盛りとなり、選択された間隔Ｉに応じて同一または異なるものとすることができる。一実施形態において、間隔Ｉが１２インチ（３０．５ｃｍ）、間隔ＩＩ、ＩＩＩおよびＩＶが４インチ（１０．２ｃｍ）の場合、足の長さの目盛りの始めから４インチ（１０．２ｃｍ）を超える巻尺３０は使えない。この構成だと、使用中の巻尺３０の無駄が最小となる。というのは、表面の接合測定を始めるために、間隔Ｉで始まる最も近いゼロ点で回転させることができるからである。あるいは、ある表面での第１の種類の測定については第１のセグメント目盛りを用い、同じ表面の第２の種類の測定については第２のセグメント目盛りを用いることができる。各セグメントＡ−Ａ、Ｂ−ＢおよびＣ−Ｃ内の線３２、４２および５２について異なる色を用いると、かかる識別可能な使用が補助される。すなわち、測定層は測定の異なる系の複数の目盛りを有することができる。
【００６１】
例えば、横軸Ｘ−Ｘで始まる直線セグメントＡ−Ａは、１２インチ（３０．５ｃｍ）の直線目盛りとし、直線セグメントＢ−Ｂは横軸Ｙ−Ｙで始まる対数目盛り、直線セグメントＣ−Ｃは横軸Ｚ−Ｚで始めるメートル目盛りとすることができる。かかる組み合わせは可能であるが、当業者であれば、単一巻尺３０のかかる組み合わせが複雑であるものの、かかるやり方で構成される本発明の巻尺の必要性および能力が産業界にもたらされることが、本発明の巻尺の意外な利点であることが分かるであろう。
【００６２】
図３に示される巻尺３０が、各直線セグメントが各横軸から１２インチ（３０．５ｃｍ）目盛りである３つの直線セグメントＡ−Ａ、Ｂ−ＢおよびＣ−Ｃから構成されると仮定すると、目盛りがどのようにしてこのように構成されるか分かるであろう。横軸Ｘ−Ｘは、軸Ｘ−Ｘおよび軸Ｘ’−Ｘ’の間のインチセグメントまたは部分のような周期的マーキング３２により区別されるように、直線セグメントＡ−Ａについてのゼロ線とすることができ、繰り返し目盛りが始まる。かかる周期線３２の表示は、白色表面上の対照色、黒色表面の対照色、または当業者の目視認知要件に従った白色と黒色の組み合わせとすることができる。例えば、背景色３４は、軸Ｘ−ＸとＸ’−Ｘ’の間のセグメントＡ−Ａについては白色、第２の背景色３６は横およびＸ’−Ｘ’およびＸ”−Ｘ”（図示しないが、軸Ｘ−Ｘで終わる間隔Ｉが示されている）の間の間隔Ｉを表している。このやり方で、好ましくは、周期線３２が重ねられる２つの区別される背景色３４および３６の間は交互である各間隔Ｉの背景色により、間隔ＩはセグメントＡ−Ａ内で容易に識別される。
【００６３】
セグメントＢ−Ｂに続き、かかる目盛りは軸Ｙ−Ｙで始まり、軸Ｙ’−Ｙ’で終わる。周期線４２は、セグメントＡ−Ａの周期線３２と同じであっても異なっていてもよい。間隔Ｉは、背景色４６とは異なる背景色４４で表されていてもよい。当業者の要望に従って、３色以上の背景色を用いて、巻尺３０の目盛りのセグメントＡ−ＡからセグメントＢ−Ｂをさらに区別することができる。セグメントＡ−Ａの目盛りのゼロ点とセグメントＢ−Ｂの目盛りの間の距離は図３に示すように間隔ＩＩである。
【００６４】
巻尺３０のセグメントＣ−Ｃを参照してみると、ゼロ点は、さらに間隔Ｉで交互または連続したやり方で、第１の間隔Ｉ内の背景色５４および背景色５６上に重なった周期線５２を有する軸Ｚ−Ｚとすることができる。
【００６５】
図３は、本発明の数字的原理内で、背景色３４および３６、４４および４６、５４および５６により区別される周期線３２、４２および５２を用いると、特定の産業におけるカスタマイズされた使用について、多数のカスタマイズされた複数の目盛り測定が行える単一巻尺上で複数の目盛りを組み合わせることができる。例えば、ビル建設、塗料および壁紙、コピーおよび工業、布帛および衣類、家具および家電、標識および自動車細部およびその他産業のような産業について特定の寸法を与えることが重要である。パーソナルコンピュータおよび消費者またはオフィス印刷機器を用いる能力と共に、巻尺のデスクトップパブリッシングは容易に達成される。さらに、巻尺１０、２０または３０は、曲面の単心または複心曲線面に適合させることができるため、ハンズフリーの測定が可能である。
【００６６】
任意で、セクションＡ−Ａ、Ｂ−ＢおよびＣ−Ｃのいずれかまたは全てにおいて特定の位置で既定の業界にとって重要な独特のシンボルを加えることができる。例えば、１６インチ（４０．６ｃｍ）のスタッド位置のマーキングを加えたり、巻尺３０を作製するための印刷プロセスの最中にテープ（品目６０で一般に表される）上に販促またはその他焼印の徴を加えることができる。当業者であれば、どのカスタマイズされた徴が望ましいかが分かり、そしてかかるマーキングを適宜印刷プロセスに加えるであろう。
【００６７】
数多くの実施形態を開示してきたが、本発明はこれらに限定されるものではない。以下に請求の範囲を添付する。
【図面の簡単な説明】
【図１】
測定目盛りの主面とは逆の主面に接着剤裏材を有する本発明の巻尺の断面図。
【図２】
目盛りと接触するように接着剤を配置して、透明または半透明表面の反対側の測定用の透明または半透明表面に巻尺を接着させる本発明の他の実施形態。
【図３】
巻尺の直線軸に沿って複数の目盛りを有する本発明の好ましい実施形態の巻尺。
【国際公開パンフレット】
2004518122.tif 000003
2004518122.tif 000004
2004518122.tif 000005
2004518122.tif 000006
2004518122.tif 000007
2004518122.tif 000008
2004518122.tif 000009
2004518122.tif 000010
2004518122.tif 000011
2004518122.tif 000012
2004518122.tif 000013
2004518122.tif 000014
2004518122.tif 000015
2004518122.tif 000016
2004518122.tif 000017
2004518122.tif 000018
2004518122.tif 000019
2004518122.tif 000020
2004518122.tif 000021
2004518122.tif 000022
【国際公開パンフレット（コレクトバージョン）】
2004518122.tif 000023
2004518122.tif 000024
【国際公開パンフレット（コレクトバージョン）】
2004518122.tif 000025
2004518122.tif 000026
【国際調査報告】
2004518122.tif 000027
2004518122.tif 000028
2004518122.tif 000029
2004518122.tif 000030
2004518122.tif 000031